(57)【要約】      （修正有）【課題】歩行できる個性を持つ動物掛時計を提供する。【解決手段】スライドレール２０を含み、スライドレールの中にはスライド溝１９が設けられ、スライド溝の中にはスライダ２２がスライドできるように設けられ、スライダの外壁には蜘蛛１１が回転できるように設けられ、蜘蛛の中には時計２１が回転できるように設けられ、時計がスライダと固定的に接続され、蜘蛛の中には回転チャンバ１７が設けられる。【選択図】図１
2020165936.tif 000002
【特許請求の範囲】
【請求項１】
スライドレールを含み、前記スライドレールの中にはスライド溝が設けられ、前記スライド溝の中にはスライダがスライドできるように設けられ、前記スライダの外壁には蜘蛛が回転できるように設けられ、前記蜘蛛の中には時計が回転できるように設けられ、前記時計が前記スライダと固定的に接続され、前記蜘蛛の中には回転チャンバが設けられ、前記回転チャンバの中には回転装置が設けられ、前記回転装置の前後両側には歩行装置が設けられ、前記スライダの中には制御チャンバが設けられ、前記制御チャンバの中には制御装置が設けられ、前記回転チャンバの左壁の中には動力チャンバが設けられ、前記動力チャンバの中には駆動装置が設けられ、その中、前記駆動装置が前記動力チャンバの左壁の中に固定的に設けられるモータを含み、前記動力チャンバの中には前記モータと動力が伝達できるように接続される主軸が設けられ、前記主軸の外壁には主ギヤが設けられ、前記主軸の右端には主ベベルギヤが設けられる；前記駆動装置は前記歩行装置により前記蜘蛛の左右スライドを駆動できることを特徴とする動物掛時計。
【請求項２】
前記歩行装置は均一的に分布して設置される四組の左脚と右脚を含み、ここはその中の一組を例として詳しく説明し、前記動力チャンバの底壁の中には左溝が設けられ、前記左脚が前記左溝の中に回転できるように設けられ、前記左脚の右端には押しブロックが設けられ、前記左溝の右壁の中には右溝が設けられ、前記右脚が前記右溝の中に回転できるように設けられ、前記動力チャンバの右壁の中には割当チャンバが設けられ、前記割当チャンバの中には割当軸が設けられ、前記割当軸の左端には前記主ギヤと噛み合う従ギヤが設けられ、前記割当軸の外壁には正ベベルギヤが設けられ、前記割当チャンバの中には左軸が設けられ、前記左軸の頂端には前記正ベベルギヤと噛み合う副ベベルギヤが設けられ、前記左溝の中には前記左軸とは自在継手を通じてヒンジにより接続される下軸が設けられ、前記下軸の底端には正カムが設けられ、前記割当軸の外壁には扇形ベベルギヤが設けられ、前記右溝の中には右軸が設けられ、前記右軸の頂端には前記扇形ベベルギヤと噛み合う上ベベルギヤが設けられ、前記右軸の底端には前記右脚とヒンジにより接続される回転盤が設けられる；前記歩行装置が前記蜘蛛を連動させて歩行させることができることを特徴とする請求項１に記載の動物掛時計。
【請求項３】
前記制御装置は前記スライダの外壁にスライドできるように設けられる従ベベルギヤを含み、前記従ベベルギヤの底端にはスライドロッドが設けられ、前記スライドロッドと前記スライダとの間にはばねが弾性的に設けられ、前記制御チャンバの中には横軸が設けられ、前記横軸の前端には副カムが設けられ、前記横軸の後端にはウォームホイールが設けられ、前記制御チャンバの下端には総合チャンバが設けられ、前記総合チャンバの中には縦軸が設けられ、前記縦軸の頂端には前記ウォームホイールと噛み合うウォームが設けられ、前記総合チャンバの底端には回転輪が設けられ、前記回転輪が前記スライド溝の内壁と係合される；前記制御装置は前記従ベベルギヤの位置により前記回転装置の作動状態を制御できることを特徴とする請求項１に記載の動物掛時計。
【請求項４】
前記回転装置は前記蜘蛛の底端に設けられる端面ギヤを含み、前記端面ギヤの中には上軸が設けられ、前記上軸の右端には前記端面ギヤと噛み合う転向ギヤが設けられ、前記上軸の左端には右ベベルギヤが設けられ、前記総合チャンバの中には同期軸が設けられ、前記同期軸の頂端には前記右ベベルギヤと噛み合う左ベベルギヤが設けられ、前記同期軸の底端には主プーリが設けられ、前記縦軸の外壁には従プーリが設けられ、前記従プーリと前記主プーリとの間にはベルトが伝動できるように設けられる；前記回転装置が前記蜘蛛の歩行方向を制御できることを特徴とする請求項３に記載の動物掛時計。
【発明の詳細な説明】
【技術分野】
【０００１】
本発明はホーム用品技術分野を取り上げて、具体的には動物掛時計である。
【背景技術】
【０００２】
現有のほとんどの掛時計は円形、方形などの形であり、位置が固定され、形が面白くなく、住んでいる人の個性を表現できない。そのため、本発明は歩行できる個性を持つ動物掛時計を設計することを目的とする。
【先行技術文献】
【特許文献】
【０００３】
【特許文献１】中国特許出願公開第１０６２００３４７号明細書
【発明の概要】
【発明が解決しようとする課題】
【０００４】
本発明は動物掛時計を提供し、従来技術における上記欠点を解消することを目的とする。
【課題を解決するための手段】
【０００５】
本発明の動物掛時計は、スライドレールを含み、前記スライドレールの中にはスライド溝が設けられ、前記スライド溝の中にはスライダがスライドできるように設けられ、前記スライダの外壁には蜘蛛が回転できるように設けられ、前記蜘蛛の中には時計が回転できるように設けられ、前記時計が前記スライダと固定的に接続され、前記蜘蛛の中には回転チャンバが設けられ、前記回転チャンバの中には回転装置が設けられ、前記回転装置の前後両側には歩行装置が設けられ、前記スライダの中には制御チャンバが設けられ、前記制御チャンバの中には制御装置が設けられ、前記回転チャンバの左壁の中には動力チャンバが設けられ、前記動力チャンバの中には駆動装置が設けられ、その中、前記駆動装置が前記動力チャンバの左壁の中に固定的に設けられるモータを含み、前記動力チャンバの中には前記モータと動力が伝達できるように接続される主軸が設けられ、前記主軸の外壁には主ギヤが設けられ、前記主軸の右端には主ベベルギヤが設けられる；前記駆動装置は前記歩行装置により前記蜘蛛の左右スライドを駆動できる。
【０００６】
好ましくは、前記歩行装置は均一的に分布して設置される四組の左脚と右脚を含み、ここはその中の一組を例として詳しく説明し、前記動力チャンバの底壁の中には左溝が設けられ、前記左脚が前記左溝の中に回転できるように設けられ、前記左脚の右端には押しブロックが設けられ、前記左溝の右壁の中には右溝が設けられ、前記右脚が前記右溝の中に回転できるように設けられ、前記動力チャンバの右壁の中には割当チャンバが設けられ、前記割当チャンバの中には割当軸が設けられ、前記割当軸の左端には前記主ギヤと噛み合う従ギヤが設けられ、前記割当軸の外壁には正ベベルギヤが設けられ、前記割当チャンバの中には左軸が設けられ、前記左軸の頂端には前記正ベベルギヤと噛み合う副ベベルギヤが設けられ、前記左溝の中には前記左軸とは自在継手を通じてヒンジにより接続される下軸が設けられ、前記下軸の底端には正カムが設けられ、前記割当軸の外壁には扇形ベベルギヤが設けられ、前記右溝の中には右軸が設けられ、前記右軸の頂端には前記扇形ベベルギヤと噛み合う上ベベルギヤが設けられ、前記右軸の底端には前記右脚とヒンジにより接続される回転盤が設けられる；前記歩行装置が前記蜘蛛を連動させて歩行させることができる。
【０００７】
好ましくは、前記制御装置は前記スライダの外壁にスライドできるように設けられる従ベベルギヤを含み、前記従ベベルギヤの底端にはスライドロッドが設けられ、前記スライドロッドと前記スライダとの間にはばねが弾性的に設けられ、前記制御チャンバの中には横軸が設けられ、前記横軸の前端には副カムが設けられ、前記横軸の後端にはウォームホイールが設けられ、前記制御チャンバの下端には総合チャンバが設けられ、前記総合チャンバの中には縦軸が設けられ、前記縦軸の頂端には前記ウォームホイールと噛み合うウォームが設けられ、前記総合チャンバの底端には回転輪が設けられ、前記回転輪が前記スライド溝の内壁と係合される；前記制御装置は前記従ベベルギヤの位置により前記回転装置の作動状態を制御できる。
【０００８】
好ましくは、前記回転装置は前記蜘蛛の底端に設けられる端面ギヤを含み、前記端面ギヤの中には上軸が設けられ、前記上軸の右端には前記端面ギヤと噛み合う転向ギヤが設けられ、前記上軸の左端には右ベベルギヤが設けられ、前記総合チャンバの中には同期軸が設けられ、前記同期軸の頂端には前記右ベベルギヤと噛み合う左ベベルギヤが設けられ、前記同期軸の底端には主プーリが設けられ、前記縦軸の外壁には従プーリが設けられ、前記従プーリと前記主プーリとの間にはベルトが伝動できるように設けられる；前記回転装置が前記蜘蛛の歩行方向を制御できる。
【発明の効果】
【０００９】
本発明の有益効果は：この発明は構成が簡単で、メンテナンスが便利で、外観がユニークで、住んでいる人の性格を表現できるので、この設備は高い使用価値と普及価値を有する。
【図面の簡単な説明】
【００１０】
本発明の実施例または従来技術における技術プランをもっとはっきり説明するために、以下は実施例または従来技術を説明する時に必要な付図を簡単に紹介する。
【００１１】
【図１】図１は本発明の動物掛時計の全体構成模式図である；
【図２】図２は図１の中の「Ａ−Ａ」の構成模式図である；
【図３】図３は図１の中の「Ｂ−Ｂ」の構成模式図である；
【図４】図４は図１の中の「Ｃ」の構成模式図である；
【図５】図５は図１の中の「Ｄ」の構成模式図である。
【発明を実施するための形態】
【００１２】
以下に図１〜５を交えて本発明について詳しく説明する。便利に叙述するために、現在は後文に出る方位を下記の通りに規定する：後文に出る上下左右前後方向は図１本体の投影関係の上下左右前後方向と一致する。
【００１３】
図１〜５が示すように、本発明の動物掛時計は、スライドレール２０を含み、前記スライドレール２０の中にはスライド溝１９が設けられ、前記スライド溝１９の中にはスライダ２２がスライドできるように設けられ、前記スライダ２２の外壁には蜘蛛１１が回転できるように設けられ、前記蜘蛛１１の中には時計２１が回転できるように設けられ、前記時計２１が前記スライダ２２と固定的に接続され、前記蜘蛛１１の中には回転チャンバ１７が設けられ、前記回転チャンバ１７の中には回転装置３００が設けられ、前記回転装置３００の前後両側には歩行装置１００が設けられ、前記スライダ２２の中には制御チャンバ２９が設けられ、前記制御チャンバ２９の中には制御装置２００が設けられ、前記回転チャンバ１７の左壁の中には動力チャンバ１５が設けられ、前記動力チャンバ１５の中には駆動装置４００が設けられ、その中、前記駆動装置４００が前記動力チャンバ１５の左壁の中に固定的に設けられるモータ１２を含み、前記動力チャンバ１５の中には前記モータ１２と動力が伝達できるように接続される主軸１３が設けられ、前記主軸１３の外壁には主ギヤ１４が設けられ、前記主軸１３の右端には主ベベルギヤ１６が設けられる；前記駆動装置４００は前記歩行装置１００により前記蜘蛛１１の左右スライドを駆動できる。
【００１４】
有益的には、前記歩行装置１００は均一的に分布して設置される四組の左脚２３と右脚２４を含み、ここはその中の一組を例として詳しく説明し、前記動力チャンバ１５の底壁の中には左溝５９が設けられ、前記左脚２３が前記左溝５９の中に回転できるように設けられ、前記左脚２３の右端には押しブロック４６が設けられ、前記左溝５９の右壁の中には右溝６０が設けられ、前記右脚２４が前記右溝６０の中に回転できるように設けられ、前記動力チャンバ１５の右壁の中には割当チャンバ５５が設けられ、前記割当チャンバ５５の中には割当軸５４が設けられ、前記割当軸５４の左端には前記主ギヤ１４と噛み合う従ギヤ２５が設けられ、前記割当軸５４の外壁には正ベベルギヤ５６が設けられ、前記割当チャンバ５５の中には左軸５１が設けられ、前記左軸５１の頂端には前記正ベベルギヤ５６と噛み合う副ベベルギヤ５８が設けられ、前記左溝５９の中には前記左軸５１とは自在継手を通じてヒンジにより接続される下軸４７が設けられ、前記下軸４７の底端には正カム４８が設けられ、前記割当軸５４の外壁には扇形ベベルギヤ５３が設けられ、前記右溝６０の中には右軸５０が設けられ、前記右軸５０の頂端には前記扇形ベベルギヤ５３と噛み合う上ベベルギヤ５２が設けられ、前記右軸５０の底端には前記右脚２４とヒンジにより接続される回転盤４９が設けられる；前記歩行装置１００が前記蜘蛛１１を連動させて歩行させることができる。
【００１５】
有益的には、前記制御装置２００は前記スライダ２２の外壁にスライドできるように設けられる従ベベルギヤ２６を含み、前記従ベベルギヤ２６の底端にはスライドロッド２７が設けられ、前記スライドロッド２７と前記スライダ２２との間にはばね２８が弾性的に設けられ、前記制御チャンバ２９の中には横軸４４が設けられ、前記横軸４４の前端には副カム４５が設けられ、前記横軸４４の後端にはウォームホイール４３が設けられ、前記制御チャンバ２９の下端には総合チャンバ３４が設けられ、前記総合チャンバ３４の中には縦軸３１が設けられ、前記縦軸３１の頂端には前記ウォームホイール４３と噛み合うウォーム３０が設けられ、前記総合チャンバ３４の底端には回転輪３３が設けられ、前記回転輪３３が前記スライド溝１９の内壁と係合される；前記制御装置２００は前記従ベベルギヤ２６の位置により前記回転装置３００の作動状態を制御できる。
【００１６】
有益的には、前記回転装置３００は前記蜘蛛１１の底端に設けられる端面ギヤ４２を含み、前記端面ギヤ４２の中には上軸４０が設けられ、前記上軸４０の右端には前記端面ギヤ４２と噛み合う転向ギヤ４１が設けられ、前記上軸４０の左端には右ベベルギヤ３９が設けられ、前記総合チャンバ３４の中には同期軸３７が設けられ、前記同期軸３７の頂端には前記右ベベルギヤ３９と噛み合う左ベベルギヤ３８が設けられ、前記同期軸３７の底端には主プーリ３６が設けられ、前記縦軸３１の外壁には従プーリ３２が設けられ、前記従プーリ３２と前記主プーリ３６との間にはベルト３５が伝動できるように設けられる；前記回転装置３００が前記蜘蛛１１の歩行方向を制御できる。
【００１７】
初期状態において、副カム４５がスライドロッド２７との係合から離脱し、主ベベルギヤ１６が従ベベルギヤ２６との係合から離脱する；
【００１８】
この設備を使用する時、使用者がスライドレール２０を壁に固定させ、モータ１２が作動し始め、主軸１３により主ギヤ１４と主ベベルギヤ１６を連動させて回転させ、主ギヤ１４が従ギヤ２５により割当軸５４を連動させて回転させ、割当軸５４が順に正ベベルギヤ５６と、副ベベルギヤ５８と、左軸５１と、下軸４７と、正カム４８と、押しブロック４６とを通じて左脚２３を連動させて左右にスライドさせ、それと同時に、割当軸５４が順に扇形ベベルギヤ５３と、上ベベルギヤ５２と、右軸５０と、回転盤４９とを通じて右脚２４を連動させて左右にスライドさせ、更に蜘蛛１１を連動させて左（右）へスライドさせ、同時に、蜘蛛１１が回転輪３３を連動させて回転させ、更に縦軸３１によりウォーム３０を連動させて回転させ、ウォームホイール４３により横軸４４を連動させて回転させ、これにより副カム４５を回転させ、蜘蛛１１が上限位置までスライドする時、副カム４５がスライドロッド２７と係合され、主ベベルギヤ１６が従ベベルギヤ２６と噛み合い、主ベベルギヤ１６が蜘蛛１１を連動させて回転させ、同時に、蜘蛛１１が端面ギヤ４２により転向ギヤ４１を連動させて回転させ、上軸４０により右ベベルギヤ３９を連動させて回転させ、左ベベルギヤ３８により同期軸３７を連動させて回転させ、主プーリ３６により従プーリ３２を連動させて回転させ、縦軸３１によりウォーム３０を連動させて回転させ、ウォームホイール４３により横軸４４を連動させて回転させ、これにより副カム４５を回転させ、蜘蛛１１が百八十度回転する時、主ベベルギヤ１６が従ベベルギヤ２６との係合から離脱し、蜘蛛１１が逆方向へスライドする。
【００１９】
本発明の有益効果は：この発明は構成が簡単で、メンテナンスが便利で、外観がユニークで、住んでいる人の性格を表現できるので、この設備は高い使用価値と普及価値を有する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020165936.tif 000003
【図２】
2020165936.tif 000004
【図３】
2020165936.tif 000005
【図４】
2020165936.tif 000006
【図５】
2020165936.tif 000007
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
スライドレールを含み、前記スライドレールの中にはスライド溝が設けられ、前記スライド溝の中にはスライダがスライドできるように設けられ、前記スライダの外壁には前記スライダに対し回転できる蜘蛛状の外殻が設けられ、前記蜘蛛状の外殻の中には前記蜘蛛状の外殻に対して回転できる時計が設けられ、前記時計が前記スライダと固定的に接続され、前記蜘蛛状の外殻の中には回転チャンバが設けられ、前記回転チャンバの中には回転装置が設けられ、前記回転装置の前後両側には歩行装置が設けられ、前記スライダの中には制御チャンバが設けられ、前記制御チャンバの中には制御装置が設けられ、前記回転チャンバの左壁の中には動力チャンバが設けられ、前記動力チャンバの中には駆動装置が設けられ、前記駆動装置が前記動力チャンバの左壁の中に固定的に設けられるモータを含み、前記動力チャンバの中には前記モータと動力が伝達できるように接続される主軸が設けられ、前記主軸の外壁には主ギヤが設けられ、前記主軸の右端には主ベベルギヤが設けられ、前記駆動装置は前記歩行装置により前記蜘蛛状の外殻の左右スライドを駆動でき、
前記歩行装置は均一的に分布して設置される四組の左脚と右脚を含み、ここで前側のうち左寄りの一組の左脚と右脚を例として詳しく説明し、前記動力チャンバの底壁の中には左溝が設けられ、前記左脚が前記左溝の中に回転できるように設けられ、前記左脚の右端には押しブロックが設けられ、前記左溝の右壁の中には右溝が設けられ、前記右脚が前記右溝の中に回転できるように設けられ、前記動力チャンバの右壁の中には割当チャンバが設けられ、前記割当チャンバの中には割当軸が設けられ、前記割当軸の左端には前記主ギヤと噛み合う従ギヤが設けられ、前記割当軸の外壁には正ベベルギヤが設けられ、前記割当チャンバの中には左軸が設けられ、前記左軸の頂端には前記正ベベルギヤと噛み合う副ベベルギヤが設けられ、前記左溝の中には前記左軸とは自在継手を通じてヒンジにより接続される下軸が設けられ、前記下軸の底端には正カムが設けられ、前記割当軸の外壁には扇形ベベルギヤが設けられ、前記右溝の中には右軸が設けられ、前記右軸の頂端には前記扇形ベベルギヤと噛み合う上ベベルギヤが設けられ、前記右軸の底端には前記右脚とヒンジにより接続される回転盤が設けられ、前記歩行装置が前記蜘蛛状の外殻を連動させて歩行させることができることを特徴とする請求項１に記載の動物掛時計。
【請求項２】
前記制御装置は前記スライダの外壁にスライドできるように設けられる従ベベルギヤを含み、前記従ベベルギヤの底端にはスライドロッドが設けられ、前記スライドロッドと前記スライダとの間にはばねが弾性的に設けられ、前記制御チャンバの中には横軸が設けられ、前記横軸には副カムが固定的に設けられ、前記横軸には前記副カムの後側に位置しているウォームホイールが設けられ、前記制御チャンバの下端には総合チャンバが設けられ、前記総合チャンバの中には縦軸が設けられ、前記縦軸の頂端には前記ウォームホイールと噛み合うウォームが設けられ、前記総合チャンバの底端には回転輪が設けられ、前記回転輪が前記スライド溝の内壁と係合され、前記制御装置は前記従ベベルギヤの位置により前記回転装置の作動状態を制御できることを特徴とする請求項１に記載の動物掛時計。
【請求項３】
前記回転装置は前記蜘蛛状の外殻の底端に設けられる端面ギヤを含み、前記端面ギヤの中には上軸が設けられ、前記上軸の右端には前記端面ギヤと噛み合う転向ギヤが設けられ、前記上軸の左端には右ベベルギヤが設けられ、前記総合チャンバの中には同期軸が設けられ、前記同期軸の頂端には前記右ベベルギヤと噛み合う左ベベルギヤが設けられ、前記同期軸の底端には主プーリが設けられ、前記縦軸の外壁には従プーリが設けられ、前記従プーリと前記主プーリとの間にはベルトが周設され、前記回転装置が前記蜘蛛状の外殻の歩行方向を制御できることを特徴とする請求項２に記載の動物掛時計。
【手続補正２】
【補正対象書類名】明細書
【補正対象項目名】全文
【補正方法】変更
【補正の内容】
【発明の詳細な説明】
【技術分野】
【０００１】
本発明はホーム用品技術分野を取り上げて、具体的には動物掛時計である。
【背景技術】
【０００２】
現有のほとんどの掛時計は円形、方形などの形であり、位置が固定され、形が面白くなく、住んでいる人の個性を表現できない。そのため、本発明は歩行できる個性を持つ動物掛時計を設計することを目的とする。
【先行技術文献】
【特許文献】
【０００３】
【特許文献１】中国特許出願公開第１０６２００３４７号明細書
【発明の概要】
【発明が解決しようとする課題】
【０００４】
本発明は動物掛時計を提供し、従来技術における上記欠点を解消することを目的とする。
【課題を解決するための手段】
【０００５】
本発明の動物掛時計は、スライドレールを含み、前記スライドレールの中にはスライド溝が設けられ、前記スライド溝の中にはスライダがスライドできるように設けられ、前記スライダの外壁には前記スライダに対し回転できる蜘蛛状の外殻が設けられ、前記蜘蛛状の外殻の中には前記蜘蛛状の外殻に対して回転できる時計が設けられ、前記時計が前記スライダと固定的に接続され、前記蜘蛛状の外殻の中には回転チャンバが設けられ、前記回転チャンバの中には回転装置が設けられ、前記回転装置の前後両側には歩行装置が設けられ、前記スライダの中には制御チャンバが設けられ、前記制御チャンバの中には制御装置が設けられ、前記回転チャンバの左壁の中には動力チャンバが設けられ、前記動力チャンバの中には駆動装置が設けられ、前記駆動装置が前記動力チャンバの左壁の中に固定的に設けられるモータを含み、前記動力チャンバの中には前記モータと動力が伝達できるように接続される主軸が設けられ、前記主軸の外壁には主ギヤが設けられ、前記主軸の右端には主ベベルギヤが設けられ、前記駆動装置は前記歩行装置により前記蜘蛛状の外殻の左右スライドを駆動できる。
【０００６】
好ましくは、前記歩行装置は均一的に分布して設置される四組の左脚と右脚を含み、ここで前側のうち左寄りの一組の左脚と右脚を例として詳しく説明し、前記動力チャンバの底壁の中には左溝が設けられ、前記左脚が前記左溝の中に回転できるように設けられ、前記左脚の右端には押しブロックが設けられ、前記左溝の右壁の中には右溝が設けられ、前記右脚が前記右溝の中に回転できるように設けられ、前記動力チャンバの右壁の中には割当チャンバが設けられ、前記割当チャンバの中には割当軸が設けられ、前記割当軸の左端には前記主ギヤと噛み合う従ギヤが設けられ、前記割当軸の外壁には正ベベルギヤが設けられ、前記割当チャンバの中には左軸が設けられ、前記左軸の頂端には前記正ベベルギヤと噛み合う副ベベルギヤが設けられ、前記左溝の中には前記左軸とは自在継手を通じてヒンジにより接続される下軸が設けられ、前記下軸の底端には正カムが設けられ、前記割当軸の外壁には扇形ベベルギヤが設けられ、前記右溝の中には右軸が設けられ、前記右軸の頂端には前記扇形ベベルギヤと噛み合う上ベベルギヤが設けられ、前記右軸の底端には前記右脚とヒンジにより接続される回転盤が設けられ、前記歩行装置が前記蜘蛛状の外殻を連動させて歩行させることができる。
【０００７】
好ましくは、前記制御装置は前記スライダの外壁にスライドできるように設けられる従ベベルギヤを含み、前記従ベベルギヤの底端にはスライドロッドが設けられ、前記スライドロッドと前記スライダとの間にはばねが弾性的に設けられ、前記制御チャンバの中には横軸が設けられ、前記横軸には副カムが固定的に設けられ、前記横軸には前記副カムの後側に位置しているウォームホイールが設けられ、前記制御チャンバの下端には総合チャンバが設けられ、前記総合チャンバの中には縦軸が設けられ、前記縦軸の頂端には前記ウォームホイールと噛み合うウォームが設けられ、前記総合チャンバの底端には回転輪が設けられ、前記回転輪が前記スライド溝の内壁と係合され、前記制御装置は前記従ベベルギヤの位置により前記回転装置の作動状態を制御できる。
【０００８】
好ましくは、前記回転装置は前記蜘蛛状の外殻の底端に設けられる端面ギヤを含み、前記端面ギヤの中には上軸が設けられ、前記上軸の右端には前記端面ギヤと噛み合う転向ギヤが設けられ、前記上軸の左端には右ベベルギヤが設けられ、前記総合チャンバの中には同期軸が設けられ、前記同期軸の頂端には前記右ベベルギヤと噛み合う左ベベルギヤが設けられ、前記同期軸の底端には主プーリが設けられ、前記縦軸の外壁には従プーリが設けられ、前記従プーリと前記主プーリとの間にはベルトが周設され、前記回転装置が前記蜘蛛状の外殻の歩行方向を制御できる。
【発明の効果】
【０００９】
本発明の有益効果は：この発明は構成が簡単で、メンテナンスが便利で、外観がユニークで、住んでいる人の性格を表現できるので、この設備は高い使用価値と普及価値を有する。
【図面の簡単な説明】
【００１０】
本発明の実施例または従来技術における技術プランをもっとはっきり説明するために、以下は実施例または従来技術を説明する時に必要な付図を簡単に紹介する。
【００１１】
【図１】図１は本発明の動物掛時計の全体構成模式図
【図２】図２は図１の中の「Ａ−Ａ」の構成模式図
【図３】図３は図１の中の「Ｂ−Ｂ」の構成模式図
【図４】図４は図１の中の「Ｃ」の構成模式図
【図５】図５は図１の中の「Ｄ」の構成模式図
【発明を実施するための形態】
【００１２】
以下に図１〜５を交えて本発明について詳しく説明する。便利に叙述するために、現在は後文に出る方位を下記の通りに規定する：後文に出る上下左右前後方向は図１本体の投影関係の上下左右前後方向と一致する。
【００１３】
図１〜５が示すように、本発明の動物掛時計は、スライドレール２０を含み、前記スライドレール２０の中にはスライド溝１９が設けられ、前記スライド溝１９の中にはスライダ２２がスライドできるように設けられ、前記スライダ２２の外壁には前記スライダ２２に対し回転できる蜘蛛状の外殻１１が設けられ、前記蜘蛛状の外殻１１の中には前記蜘蛛状の外殻１１に対して回転できる時計２１が設けられ、前記時計２１が前記スライダ２２と固定的に接続され、前記蜘蛛状の外殻１１の中には回転チャンバ１７が設けられ、前記回転チャンバ１７の中には回転装置３００が設けられ、前記回転装置３００の前後両側には歩行装置１００が設けられ、前記スライダ２２の中には制御チャンバ２９が設けられ、前記制御チャンバ２９の中には制御装置２００が設けられ、前記回転チャンバ１７の左壁の中には動力チャンバ１５が設けられ、前記動力チャンバ１５の中には駆動装置４００が設けられ、前記駆動装置４００が前記動力チャンバ１５の左壁の中に固定的に設けられるモータ１２を含み、前記動力チャンバ１５の中には前記モータ１２と動力が伝達できるように接続される主軸１３が設けられ、前記主軸１３の外壁には主ギヤ１４が設けられ、前記主軸１３の右端には主ベベルギヤ１６が設けられ、前記駆動装置４００は前記歩行装置１００により前記蜘蛛状の外殻１１の左右スライドを駆動できる。
【００１４】
有益的には、前記歩行装置１００は均一的に分布して設置される四組の左脚２３と右脚２４を含み、ここで前側のうち左寄りの一組の左脚と右脚を例として詳しく説明し、前記動力チャンバ１５の底壁の中には左溝５９が設けられ、前記左脚２３が前記左溝５９の中に回転できるように設けられ、前記左脚２３の右端には押しブロック４６が設けられ、前記左溝５９の右壁の中には右溝６０が設けられ、前記右脚２４が前記右溝６０の中に回転できるように設けられ、前記動力チャンバ１５の右壁の中には割当チャンバ５５が設けられ、前記割当チャンバ５５の中には割当軸５４が設けられ、前記割当軸５４の左端には前記主ギヤ１４と噛み合う従ギヤ２５が設けられ、前記割当軸５４の外壁には正ベベルギヤ５６が設けられ、前記割当チャンバ５５の中には左軸５１が設けられ、前記左軸５１の頂端には前記正ベベルギヤ５６と噛み合う副ベベルギヤ５８が設けられ、前記左溝５９の中には前記左軸５１とは自在継手を通じてヒンジにより接続される下軸４７が設けられ、前記下軸４７の底端には正カム４８が設けられ、前記割当軸５４の外壁には扇形ベベルギヤ５３が設けられ、前記右溝６０の中には右軸５０が設けられ、前記右軸５０の頂端には前記扇形ベベルギヤ５３と噛み合う上ベベルギヤ５２が設けられ、前記右軸５０の底端には前記右脚２４とヒンジにより接続される回転盤４９が設けられ、前記歩行装置１００が前記蜘蛛状の外殻１１を連動させて歩行させることができる。
【００１５】
有益的には、前記制御装置２００は前記スライダ２２の外壁にスライドできるように設けられる従ベベルギヤ２６を含み、前記従ベベルギヤ２６の底端にはスライドロッド２７が設けられ、前記スライドロッド２７と前記スライダ２２との間にはばね２８が弾性的に設けられ、前記制御チャンバ２９の中には横軸４４が設けられ、前記横軸４４には副カム４５が固定的に設けられ、前記横軸４４には前記副カム４５の後側に位置しているウォームホイール４３が設けられ、前記制御チャンバ２９の下端には総合チャンバ３４が設けられ、前記総合チャンバ３４の中には縦軸３１が設けられ、前記縦軸３１の頂端には前記ウォームホイール４３と噛み合うウォーム３０が設けられ、前記総合チャンバ３４の底端には回転輪３３が設けられ、前記回転輪３３が前記スライド溝１９の内壁と係合され、前記制御装置２００は前記従ベベルギヤ２６の位置により前記回転装置３００の作動状態を制御できる。
【００１６】
有益的には、前記回転装置３００は前記蜘蛛状の外殻１１の底端に設けられる端面ギヤ４２を含み、前記端面ギヤ４２の中には上軸４０が設けられ、前記上軸４０の右端には前記端面ギヤ４２と噛み合う転向ギヤ４１が設けられ、前記上軸４０の左端には右ベベルギヤ３９が設けられ、前記総合チャンバ３４の中には同期軸３７が設けられ、前記同期軸３７の頂端には前記右ベベルギヤ３９と噛み合う左ベベルギヤ３８が設けられ、前記同期軸３７の底端には主プーリ３６が設けられ、前記縦軸３１の外壁には従プーリ３２が設けられ、前記従プーリ３２と前記主プーリ３６との間にはベルト３５が周設され、前記回転装置３００が前記蜘蛛状の外殻１１の歩行方向を制御できる。
【００１７】
初期状態において、副カム４５がスライドロッド２７との係合から離脱し、主ベベルギヤ１６が従ベベルギヤ２６との係合から離脱する。
【００１８】
この設備を使用する時、使用者がスライドレール２０を壁に固定させ、モータ１２が作動し始め、主軸１３により主ギヤ１４と主ベベルギヤ１６を連動させて回転させ、主ギヤ１４が従ギヤ２５により割当軸５４を連動させて回転させ、割当軸５４が順に正ベベルギヤ５６と、副ベベルギヤ５８と、左軸５１と、下軸４７と、正カム４８と、押しブロック４６とを通じて左脚２３を連動させて左右にスライドさせ、それと同時に、割当軸５４が順に扇形ベベルギヤ５３と、上ベベルギヤ５２と、右軸５０と、回転盤４９とを通じて右脚２４を連動させて左右にスライドさせ、更に蜘蛛状の外殻１１を連動させて左（右）へスライドさせ、同時に、蜘蛛状の外殻１１が回転輪３３を連動させて回転させ、更に縦軸３１によりウォーム３０を連動させて回転させ、ウォームホイール４３により横軸４４を連動させて回転させ、これにより副カム４５を回転させ、蜘蛛状の外殻１１が上限位置までスライドする時、副カム４５がスライドロッド２７と係合され、主ベベルギヤ１６が従ベベルギヤ２６と噛み合い、主ベベルギヤ１６が蜘蛛状の外殻１１を連動させて回転させ、同時に、蜘蛛状の外殻１１が端面ギヤ４２により転向ギヤ４１を連動させて回転させ、上軸４０により右ベベルギヤ３９を連動させて回転させ、左ベベルギヤ３８により同期軸３７を連動させて回転させ、主プーリ３６により従プーリ３２を連動させて回転させ、縦軸３１によりウォーム３０を連動させて回転させ、ウォームホイール４３により横軸４４を連動させて回転させ、これにより副カム４５を回転させ、蜘蛛状の外殻１１が百八十度回転する時、主ベベルギヤ１６が従ベベルギヤ２６との係合から離脱し、蜘蛛状の外殻１１が逆方向へスライドする。
【００１９】
本発明の有益効果は：この発明は構成が簡単で、メンテナンスが便利で、外観がユニークで、住んでいる人の性格を表現できるので、この設備は高い使用価値と普及価値を有する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年6月26日(2019.6.26)
【手続補正１】
【補正対象書類名】特許請求の範囲
【補正対象項目名】請求項１
【補正方法】変更
【補正の内容】
【請求項１】
スライドレールを含み、前記スライドレールの中にはスライド溝が設けられ、前記スライド溝の中にはスライダがスライドできるように設けられ、前記スライダの外壁には前記スライダに対し回転できる蜘蛛状の外殻が設けられ、前記蜘蛛状の外殻の中には前記蜘蛛状の外殻に対して回転できる時計が設けられ、前記時計が前記スライダと固定的に接続され、前記蜘蛛状の外殻の中には回転チャンバが設けられ、前記回転チャンバの中には回転装置が設けられ、前記回転装置の前後両側には歩行装置が設けられ、前記スライダの中には制御チャンバが設けられ、前記制御チャンバの中には制御装置が設けられ、前記回転チャンバの左壁の中には動力チャンバが設けられ、前記動力チャンバの中には駆動装置が設けられ、前記駆動装置が前記動力チャンバの左壁の中に固定的に設けられるモータを含み、前記動力チャンバの中には前記モータと動力が伝達できるように接続される主軸が設けられ、前記主軸の外壁には主ギヤが設けられ、前記主軸の右端には主ベベルギヤが設けられ、前記駆動装置は前記歩行装置により前記蜘蛛状の外殻の左右スライドを駆動でき、
前記歩行装置は均一的に分布して設置される四組の左脚と右脚を含み、４組の左脚と右脚のうち１組の左脚と右脚において、前記動力チャンバの底壁の中には左溝が設けられ、前記左脚が前記左溝の中に回転できるように設けられ、前記左脚の右端には押しブロックが設けられ、前記左溝の右壁の中には右溝が設けられ、前記右脚が前記右溝の中に回転できるように設けられ、前記動力チャンバの右壁の中には割当チャンバが設けられ、前記割当チャンバの中には割当軸が設けられ、前記割当軸の左端には前記主ギヤと噛み合う従ギヤが設けられ、前記割当軸の外壁には正ベベルギヤが設けられ、前記割当チャンバの中には左軸が設けられ、前記左軸の頂端には前記正ベベルギヤと噛み合う副ベベルギヤが設けられ、前記左溝の中には前記左軸とは自在継手を通じてヒンジにより接続される下軸が設けられ、前記下軸の底端には正カムが設けられ、前記割当軸の外壁には扇形ベベルギヤが設けられ、前記右溝の中には右軸が設けられ、前記右軸の頂端には前記扇形ベベルギヤと噛み合う上ベベルギヤが設けられ、前記右軸の底端には前記右脚とヒンジにより接続される回転盤が設けられ、前記歩行装置が前記蜘蛛状の外殻を連動させて歩行させることができることを特徴とする動物掛時計。
【手続補正２】
【補正対象書類名】明細書
【補正対象項目名】全文
【補正方法】変更
【補正の内容】
【発明の詳細な説明】
【技術分野】
【０００１】
本発明はホーム用品技術分野を取り上げて、具体的には動物掛時計である。
【背景技術】
【０００２】
現有のほとんどの掛時計は円形、方形などの形であり、位置が固定され、形が面白くなく、住んでいる人の個性を表現できない。そのため、本発明は歩行できる個性を持つ動物掛時計を設計することを目的とする。
【先行技術文献】
【特許文献】
【０００３】
【特許文献１】中国特許出願公開第１０６２００３４７号明細書
【発明の概要】
【発明が解決しようとする課題】
【０００４】
本発明は動物掛時計を提供し、従来技術における上記欠点を解消することを目的とする。
【課題を解決するための手段】
【０００５】
本発明の動物掛時計は、スライドレールを含み、前記スライドレールの中にはスライド溝が設けられ、前記スライド溝の中にはスライダがスライドできるように設けられ、前記スライダの外壁には前記スライダに対し回転できる蜘蛛状の外殻が設けられ、前記蜘蛛状の外殻の中には前記蜘蛛状の外殻に対して回転できる時計が設けられ、前記時計が前記スライダと固定的に接続され、前記蜘蛛状の外殻の中には回転チャンバが設けられ、前記回転チャンバの中には回転装置が設けられ、前記回転装置の前後両側には歩行装置が設けられ、前記スライダの中には制御チャンバが設けられ、前記制御チャンバの中には制御装置が設けられ、前記回転チャンバの左壁の中には動力チャンバが設けられ、前記動力チャンバの中には駆動装置が設けられ、前記駆動装置が前記動力チャンバの左壁の中に固定的に設けられるモータを含み、前記動力チャンバの中には前記モータと動力が伝達できるように接続される主軸が設けられ、前記主軸の外壁には主ギヤが設けられ、前記主軸の右端には主ベベルギヤが設けられ、前記駆動装置は前記歩行装置により前記蜘蛛状の外殻の左右スライドを駆動できる。
【０００６】
好ましくは、前記歩行装置は均一的に分布して設置される四組の左脚と右脚を含み、４組の左脚と右脚のうち１組の左脚と右脚において、前記動力チャンバの底壁の中には左溝が設けられ、前記左脚が前記左溝の中に回転できるように設けられ、前記左脚の右端には押しブロックが設けられ、前記左溝の右壁の中には右溝が設けられ、前記右脚が前記右溝の中に回転できるように設けられ、前記動力チャンバの右壁の中には割当チャンバが設けられ、前記割当チャンバの中には割当軸が設けられ、前記割当軸の左端には前記主ギヤと噛み合う従ギヤが設けられ、前記割当軸の外壁には正ベベルギヤが設けられ、前記割当チャンバの中には左軸が設けられ、前記左軸の頂端には前記正ベベルギヤと噛み合う副ベベルギヤが設けられ、前記左溝の中には前記左軸とは自在継手を通じてヒンジにより接続される下軸が設けられ、前記下軸の底端には正カムが設けられ、前記割当軸の外壁には扇形ベベルギヤが設けられ、前記右溝の中には右軸が設けられ、前記右軸の頂端には前記扇形ベベルギヤと噛み合う上ベベルギヤが設けられ、前記右軸の底端には前記右脚とヒンジにより接続される回転盤が設けられ、前記歩行装置が前記蜘蛛状の外殻を連動させて歩行させることができる。
【０００７】
好ましくは、前記制御装置は前記スライダの外壁にスライドできるように設けられる従ベベルギヤを含み、前記従ベベルギヤの底端にはスライドロッドが設けられ、前記スライドロッドと前記スライダとの間にはばねが弾性的に設けられ、前記制御チャンバの中には横軸が設けられ、前記横軸には副カムが固定的に設けられ、前記横軸には前記副カムの後側に位置しているウォームホイールが設けられ、前記制御チャンバの下端には総合チャンバが設けられ、前記総合チャンバの中には縦軸が設けられ、前記縦軸の頂端には前記ウォームホイールと噛み合うウォームが設けられ、前記総合チャンバの底端には回転輪が設けられ、前記回転輪が前記スライド溝の内壁と係合され、前記制御装置は前記従ベベルギヤの位置により前記回転装置の作動状態を制御できる。
【０００８】
好ましくは、前記回転装置は前記蜘蛛状の外殻の底端に設けられる端面ギヤを含み、前記端面ギヤの中には上軸が設けられ、前記上軸の右端には前記端面ギヤと噛み合う転向ギヤが設けられ、前記上軸の左端には右ベベルギヤが設けられ、前記総合チャンバの中には同期軸が設けられ、前記同期軸の頂端には前記右ベベルギヤと噛み合う左ベベルギヤが設けられ、前記同期軸の底端には主プーリが設けられ、前記縦軸の外壁には従プーリが設けられ、前記従プーリと前記主プーリとの間にはベルトが周設され、前記回転装置が前記蜘蛛状の外殻の歩行方向を制御できる。
【発明の効果】
【０００９】
本発明の有益効果は：この発明は構成が簡単で、メンテナンスが便利で、外観がユニークで、住んでいる人の性格を表現できるので、この設備は高い使用価値と普及価値を有する。
【図面の簡単な説明】
【００１０】
本発明の実施例または従来技術における技術プランをもっとはっきり説明するために、以下は実施例または従来技術を説明する時に必要な付図を簡単に紹介する。
【００１１】
【図１】図１は本発明の動物掛時計の全体構成模式図
【図２】図２は図１の中の「Ａ−Ａ」の構成模式図
【図３】図３は図１の中の「Ｂ−Ｂ」の構成模式図
【図４】図４は図１の中の「Ｃ」の構成模式図
【図５】図５は図１の中の「Ｄ」の構成模式図
【発明を実施するための形態】
【００１２】
以下に図１〜５を交えて本発明について詳しく説明する。便利に叙述するために、現在は後文に出る方位を下記の通りに規定する：後文に出る上下左右前後方向は図１本体の投影関係の上下左右前後方向と一致する。
【００１３】
図１〜５が示すように、本発明の動物掛時計は、スライドレール２０を含み、前記スライドレール２０の中にはスライド溝１９が設けられ、前記スライド溝１９の中にはスライダ２２がスライドできるように設けられ、前記スライダ２２の外壁には前記スライダ２２に対し回転できる蜘蛛状の外殻１１が設けられ、前記蜘蛛状の外殻１１の中には前記蜘蛛状の外殻１１に対して回転できる時計２１が設けられ、前記時計２１が前記スライダ２２と固定的に接続され、前記蜘蛛状の外殻１１の中には回転チャンバ１７が設けられ、前記回転チャンバ１７の中には回転装置３００が設けられ、前記回転装置３００の前後両側には歩行装置１００が設けられ、前記スライダ２２の中には制御チャンバ２９が設けられ、前記制御チャンバ２９の中には制御装置２００が設けられ、前記回転チャンバ１７の左壁の中には動力チャンバ１５が設けられ、前記動力チャンバ１５の中には駆動装置４００が設けられ、前記駆動装置４００が前記動力チャンバ１５の左壁の中に固定的に設けられるモータ１２を含み、前記動力チャンバ１５の中には前記モータ１２と動力が伝達できるように接続される主軸１３が設けられ、前記主軸１３の外壁には主ギヤ１４が設けられ、前記主軸１３の右端には主ベベルギヤ１６が設けられ、前記駆動装置４００は前記歩行装置１００により前記蜘蛛状の外殻１１の左右スライドを駆動できる。
【００１４】
有益的には、前記歩行装置１００は均一的に分布して設置される四組の左脚２３と右脚２４を含み、４組の左脚と右脚のうち１組の左脚と右脚において、前記動力チャンバ１５の底壁の中には左溝５９が設けられ、前記左脚２３が前記左溝５９の中に回転できるように設けられ、前記左脚２３の右端には押しブロック４６が設けられ、前記左溝５９の右壁の中には右溝６０が設けられ、前記右脚２４が前記右溝６０の中に回転できるように設けられ、前記動力チャンバ１５の右壁の中には割当チャンバ５５が設けられ、前記割当チャンバ５５の中には割当軸５４が設けられ、前記割当軸５４の左端には前記主ギヤ１４と噛み合う従ギヤ２５が設けられ、前記割当軸５４の外壁には正ベベルギヤ５６が設けられ、前記割当チャンバ５５の中には左軸５１が設けられ、前記左軸５１の頂端には前記正ベベルギヤ５６と噛み合う副ベベルギヤ５８が設けられ、前記左溝５９の中には前記左軸５１とは自在継手を通じてヒンジにより接続される下軸４７が設けられ、前記下軸４７の底端には正カム４８が設けられ、前記割当軸５４の外壁には扇形ベベルギヤ５３が設けられ、前記右溝６０の中には右軸５０が設けられ、前記右軸５０の頂端には前記扇形ベベルギヤ５３と噛み合う上ベベルギヤ５２が設けられ、前記右軸５０の底端には前記右脚２４とヒンジにより接続される回転盤４９が設けられ、前記歩行装置１００が前記蜘蛛状の外殻１１を連動させて歩行させることができる。
【００１５】
有益的には、前記制御装置２００は前記スライダ２２の外壁にスライドできるように設けられる従ベベルギヤ２６を含み、前記従ベベルギヤ２６の底端にはスライドロッド２７が設けられ、前記スライドロッド２７と前記スライダ２２との間にはばね２８が弾性的に設けられ、前記制御チャンバ２９の中には横軸４４が設けられ、前記横軸４４には副カム４５が固定的に設けられ、前記横軸４４には前記副カム４５の後側に位置しているウォームホイール４３が設けられ、前記制御チャンバ２９の下端には総合チャンバ３４が設けられ、前記総合チャンバ３４の中には縦軸３１が設けられ、前記縦軸３１の頂端には前記ウォームホイール４３と噛み合うウォーム３０が設けられ、前記総合チャンバ３４の底端には回転輪３３が設けられ、前記回転輪３３が前記スライド溝１９の内壁と係合され、前記制御装置２００は前記従ベベルギヤ２６の位置により前記回転装置３００の作動状態を制御できる。
【００１６】
有益的には、前記回転装置３００は前記蜘蛛状の外殻１１の底端に設けられる端面ギヤ４２を含み、前記端面ギヤ４２の中には上軸４０が設けられ、前記上軸４０の右端には前記端面ギヤ４２と噛み合う転向ギヤ４１が設けられ、前記上軸４０の左端には右ベベルギヤ３９が設けられ、前記総合チャンバ３４の中には同期軸３７が設けられ、前記同期軸３７の頂端には前記右ベベルギヤ３９と噛み合う左ベベルギヤ３８が設けられ、前記同期軸３７の底端には主プーリ３６が設けられ、前記縦軸３１の外壁には従プーリ３２が設けられ、前記従プーリ３２と前記主プーリ３６との間にはベルト３５が周設され、前記回転装置３００が前記蜘蛛状の外殻１１の歩行方向を制御できる。
【００１７】
初期状態において、副カム４５がスライドロッド２７との係合から離脱し、主ベベルギヤ１６が従ベベルギヤ２６との係合から離脱する。
【００１８】
この設備を使用する時、使用者がスライドレール２０を壁に固定させ、モータ１２が作動し始め、主軸１３により主ギヤ１４と主ベベルギヤ１６を連動させて回転させ、主ギヤ１４が従ギヤ２５により割当軸５４を連動させて回転させ、割当軸５４が順に正ベベルギヤ５６と、副ベベルギヤ５８と、左軸５１と、下軸４７と、正カム４８と、押しブロック４６とを通じて左脚２３を連動させて左右にスライドさせ、それと同時に、割当軸５４が順に扇形ベベルギヤ５３と、上ベベルギヤ５２と、右軸５０と、回転盤４９とを通じて右脚２４を連動させて左右にスライドさせ、更に蜘蛛状の外殻１１を連動させて左（右）へスライドさせ、同時に、蜘蛛状の外殻１１が回転輪３３を連動させて回転させ、更に縦軸３１によりウォーム３０を連動させて回転させ、ウォームホイール４３により横軸４４を連動させて回転させ、これにより副カム４５を回転させ、蜘蛛状の外殻１１が上限位置までスライドする時、副カム４５がスライドロッド２７と係合され、主ベベルギヤ１６が従ベベルギヤ２６と噛み合い、主ベベルギヤ１６が蜘蛛状の外殻１１を連動させて回転させ、同時に、蜘蛛状の外殻１１が端面ギヤ４２により転向ギヤ４１を連動させて回転させ、上軸４０により右ベベルギヤ３９を連動させて回転させ、左ベベルギヤ３８により同期軸３７を連動させて回転させ、主プーリ３６により従プーリ３２を連動させて回転させ、縦軸３１によりウォーム３０を連動させて回転させ、ウォームホイール４３により横軸４４を連動させて回転させ、これにより副カム４５を回転させ、蜘蛛状の外殻１１が百八十度回転する時、主ベベルギヤ１６が従ベベルギヤ２６との係合から離脱し、蜘蛛状の外殻１１が逆方向へスライドする。
【００１９】
本発明の有益効果は：この発明は構成が簡単で、メンテナンスが便利で、外観がユニークで、住んでいる人の性格を表現できるので、この設備は高い使用価値と普及価値を有する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。